(57)【要約】      （修正有）【課題】折りたたみが容易で、且つ折畳式テントが風力又は不当な外力の影響で、テントが不意に折りたたまれる事を防ぎ、ユーザーに安全性と便利性を与えるテント骨組みの屈折防止構造を提供する。【解決手段】少なくとも骨組み上部本体と、骨組み下部本体と、複数の上部支柱と、複数の調節装置と、複数の副支柱と、複数の関節部品と、複数の下部支柱及び複数の弾性紐体等を含み、前記関節部品は、上部筒体と、位置決め部品と、捻力部品及び下部筒体等によって構成される。上述構造が前記弾性紐体によって引っ張られ、前記位置決め部品を時計回り方向に所定位置まで回転させ、下部筒体上に設けられた軸部の当接面が前記位置決め部品に突き当たることによって、前記下部筒体を位置決めする。【選択図】図２
0003106994.tif 000002
【実用新案登録請求の範囲】
【請求項１】
テント骨組みが、骨組み上部本体と、骨組み下部本体と、複数の上部支柱と、複数の副支柱と、複数の関節部品及び複数の下部支柱等によって構成され、
複数の調節装置が、それぞれ上記各支柱上の適当な位置にセットされ、且つ前記調節装置上の適当な位置に繋止部が設けられている。
複数の関節部品には、上記支柱の末端を挿入するため、前記上部筒体下端に凹部が形成され、且つ前記凹部内側に通孔が設けてある上部筒体と、前記凹部に枢設され、且つ通孔から延伸した位置決め部品と、前記位置決め部品に時計回り方向の抗力を提供する捻力部品と、下部支柱の一端を挿入するための下部筒体と、前記下部筒体上端には前記凹部の中に枢接され、且つその上縁部に前記位置決め部品の回転経路上に位置する当接面を設けて前記下部筒体を限定するために形成された軸部と、
上記調節装置の繋止部と上記関節部品の位置決め部品にそれぞれ連接された複数の弾性紐体とを含み、
前記弾性紐体を引っ張る事によって前記位置決め部品を時計回り方向に所定位置まで回転させ、前記軸部の当接面が前記位置決め部品に突き当たり、前記下部筒体を位置決めすることを特徴とするテント骨組みの屈折防止構造。
【請求項２】
前記骨組み下部本体は、前記骨組み上部本体の下端に設けられ、前記各上部支柱の一端はそれぞれ上記骨組み上部本体の周辺に枢接され、前記各上部支柱の別の一端は、下方へ向かって延伸している。
前記各副支柱の一端は、それぞれ上記骨組み下部本体の周辺に枢接され、前記各副支柱の別の一端は各調節装置に対応して組み込まれ、各下部支柱は、それぞれ上記複数の関節部品の下部筒体の中に対応して挿入されていることを特徴とする請求項１に記載のテント骨組みの屈折防止構造。
【請求項３】
前記位置決め部品の末端には、前記弾性紐体を穿接固定するための貫通孔が設けられた事を特徴とする請求項１に記載のテント骨組みの屈折防止構造。
【請求項４】
前記位置決め部品と前記下部筒体の軸部は、それぞれ位置決めピンによって前記上部筒体の凹部の中に枢接されていることを特徴とする請求項１に記載のテント骨組みの屈折防止構造。
【請求項５】
前記位置決め部品上には、位置決めピンを挿入するための軸穴が設けられたことを特徴とする請求項４に記載のテント骨組みの屈折防止構造。
【請求項６】
前記捻力部品の中央には、位置決め部品の軸穴に対応して位置決めピンを挿入して位置決めするための通孔が設けられたことを特徴とする請求項４に記載のテント骨組みの屈折防止構造。
【請求項７】
前記繋止部は、前記調節装置の内側面に設けられたことを特徴とする請求項１に記載のテント骨組みの屈折防止構造。
【考案の詳細な説明】
【技術分野】
【０００１】
本考案は、特にテントが上部支柱と下部支柱の間に不当な外力を受けて屈折し、不意に折りたたまれることを防ぐことのできる複数の下部支柱を備えたテント骨組みの屈折防止構造に関するものである。
【背景技術】
【０００２】
従来の折畳式テントの構造は、内テントと外テントを含む二重の天幕からなり、内天幕はユーザーに住まいの空間を与え、そして外天幕は雨よけや日除けの機能を強化するものであり、且つ二重天幕層の設置によって、良好な熱隔離及び通気効果をもたらし、野外生活に適するようにしてある。
しかし、本考案者が実際に長年使用した結果、この方式にはなお欠点があり、且つこの欠点は現存の折畳式テントに普遍的に存在することを発見した、以下簡単に説明する。
１.従来の折畳式テントは、上部主骨と下部主骨にジョイント支柱が設けてあり、折りたたむときは、内へ向かってジョイントを折り曲げてテントを折りたたむ。然るに、上述の構造では、ジョイントに位置決め機能が欠けているため、テントを張り上げたとき、ジョイントが風力又は不当な外力の影響を受けて、テントが不意に折りたたまれ、テント内ユーザーに対する危険を招きやすい。
２.従来の折畳式テントのユーザーがテントを折りたたむ場合、ひざまずいてジョイントを屈折させなければならず、不便である。
本考案者は、上述従来の折畳式テントを実際に使用するときの欠点に鑑み、且つ関連産業の開発実務において長年の経験を積み重ね、鋭意研鑚した結果、ついにテント骨組みの屈折防止構造の研究開発に成功した。
【考案の開示】
【考案が解決しようとする課題】
【０００３】
本考案の主な目的は、テント骨組みの屈折防止構造を提供し、折りたたみが容易で、且つ折畳式テントが風力又は不当な外力の影響で、テントが不意に折りたたまれる事を防ぎ、ユーザーに安全性と便利性を与えることにある。
【課題を解決するための手段】
【０００４】
上述の目的を達成するため、本考案は少なくとも、骨組み上部本体と、前記骨組み上部本体の下端に設けられた骨組み下部本体と、前記骨組み上部本体の周辺にそれぞれ一端を枢接され、別の一端はそれぞれ下方に延伸した複数の上部支柱と、前記各支柱の適当な位置にそれぞれセットされ、且つ適当な位置に繋止部を設けた複数の調節装置と、前記骨組み下部本体の周辺にそれぞれ一端を枢接され、別の一端はそれぞれ対応する前記調節装置に組み込まれた複数の副支柱と、複数の関節部品とを含む、前記関節部品には、前記支柱の末端を挿入できる上部筒体と、前記上部筒体の下端に形成され、且つ内側に通孔を設けた凹部と、前記凹部の中に枢設され、且つ前記通孔から延伸した位置決め部品と、前記位置決め部品に時計回り方向への抗力を提供する捻力部品と、上端が前記凹部に枢設され、且つその上縁に丁度前記位置決め部品の回転経路上に位置する当接面が形成され、下部筒体を限定する軸部と、前記複数の関節部品の下部筒体に対応してそれぞれ挿入された複数の下部支柱と、前記調節装置の繋止部と前記関節部品の位置決め部品を連接する複数の弾性紐体と、によって構成される。
上述の構造は、前記弾性紐体を引っ張る事によって前記位置決め部品が時計回り方向に回転して丁度所定位置にくるようにし、前記軸部の当接面が前記位置決め部品に突き当たり、前記下部筒体を位置決めする。
【考案の効果】
【０００５】
本考案には下記のような長所がある。
１．  本考案においては、前記関節部品７の各部品によって、位置決めのメカニズムを形成し、テントを張っているとき、風力又は不当な外力の影響によって、テントが不意に折りたたまれる危険を防止し、ユーザーに安全なテントの使用環境を提供することができる。
２．  本考案は、弾性紐体８によって前記関節部品７の開張と収縮をコントロールし、組み立てや折りたたみの便利さをもたらすことができる。
３．  本考案は、各種テントの骨組み、例えばペット専用テントaの骨組み及びゴルフ練習用テントbに応用し、組み立てや折りたたみの便利さをもたらすことができる。
ただし、以上に述べたことは、本考案の好ましい実施例であり、本考案の実施の範囲を限定するものではなく、凡そ本考案の請求の範囲及び明細書の内容に基づいてなされた同等効果の変化及び修正は、すべて本考案の請求の範囲に含まれるものとする。
【考案を実施するための最良の形態】
【０００６】
以下、好ましい実施の形態について、図を参照して詳細に説明する。
まず、図１・２・３・４を参照して、本考案の骨組みは、骨組み上部本体１、骨組み下部本体２、複数の上部支柱３、複数の調節装置６、複数の副支柱５、複数の関節部品７、複数の下部支柱４及び複数の弾性紐体８等を含み、且つ遮蔽体９を外部にかぶせた形で構成される。
前記骨組み下部本体２は、前記骨組み上部本体１の下端に設けてある。
前記各上部支柱３の一端はそれぞれ前記骨組み上部本体１の周辺に枢接され、各上部支柱３の別の一端はそれぞれ下方へ向かって延伸している。
前記複数の調節装置６は、それぞれ前記各支柱上の適当な位置にセットされ、且つ各調節装置６上の適当な位置に繋止部６１が設けてある。
前記各副支柱５の一端は、それぞれ前記骨組み下部本体２の周辺に枢接され、前記各副支柱５の別の一端は、それぞれ前記各対応する調節装置６の上に組みこまれている。
前記関節部品７には、前記支柱末端を挿入するための上部筒体７１と、前記関節部品７の上部筒体７１下端に形成され且つ内側に通孔７１２を設けた凹部７１１と、前記凹部７１１の中に枢設され、且つ前記通孔７１２から延伸し、末端に貫通孔７４１を設けた位置決め部品７４と、前記位置決め部品７４の上に設けた軸穴７４２と、前記位置決め部品７４に時計回り方向の抗力を提供する捻力部品７５と、上端に軸部７３が前記凹部７１１の中に枢接され、且つ前記軸部７３の上縁に当接面７３１を丁度前記位置決め部品７４の回転経路上に設けることによって限定される下部筒体７２とを含む、前記位置決め部品７４の軸穴７４２及び前記下部筒体７２の軸部７３をそれぞれ貫通する二つの位置決めピン７６が、前記位置決め部品７４と前記下部筒体７２をそれぞれ前記上部筒体７１の凹部７１１の中に樞設し、且つ前記捻力部品７５の中央に、前記位置決め部品７４の軸穴７４２と対応する通孔７５１を設け、位置決めピン７６をその中に入れて位置決めする。
複数の下部支柱４は、上記複数の関節部品７の下部筒体７２の中に対応して挿入される。
複数の弾性紐体８は、上記調節装置６の繋止部６１と上記関節部品７中の前記位置決め部品７４内側の通孔７１２中に穿設固定され、前記関節部品７の位置決め部品７４に支持力を付与している。
上記構造において、図２・図４・図５・図６・図７・図８に示すように、本考案は、前記弾性紐体８を引っ張ることによって、前記関節部品７中の前記位置決め部品７４を時計回り方向に回転させて所定の位置につかせ、前記関節部品７中の前記軸部７３の当接面７３１が前記位置決め部品７４に突き当たり、前記下部筒体７２を位置決めし、予期し得ない状況下で、風力又は人員の出入りなどによる不確定外力要素によって、テントが不意に折りたたまれることを防ぐ、ユーザーがテントを折り畳むときは、前記弾性紐体８を下へ向かって引っ張り、前記関節部品７の位置決め部品７４が支持力を失って逆周り回転し、前記軸部７３の当接面７３１が前記位置決め部品７４の突き当てを失って回転し、且つ前記下部筒体７２及び前記下部支柱４を折りたたませる。
本考案のもう一つの実施例は、図９に示すように、本考案の骨組み設計をペット専用テントａに応用し、前記遮蔽体９の一方に出入り口９１を開設することができる。
本考案の又もう一つの実施例は、図１０に示すように、ゴルフ練習用テントｂに応用することができる。ゴルフ練習用テントｂは、本考案骨組みの上に、遮蔽体９をセットし、且つ前記遮蔽体９の一側面にボール入れ口９２を設けてある。
以上、本考案の詳細な技術構造を説明したが、本考案の構造は、確かにユーザーに安全性と便利性を提供する目的を果たし、且つ業界の関連製品にも見受けられず、実用新案登録請求の要件に合致するものと考えられ、茲に特許法の規定に基づき、貴庁へ実用新案登録の請求を行うと共に、早い時期に本件特許を受けられるようお願いする。
【図面の簡単な説明】
【０００７】
【図１】本考案の外観斜視図である。
【図２】本考案の骨組みを示す図である。
【図３】本考案関節部品の斜視図である。
【図４】本考案関節部品の斜視分解図である。
【図５】本考案実施例の第一動作図である。
【図６】本考案実施例の第二動作図である。
【図７】本考案実施例の第三動作図である。
【図８】本考案実施例の第四動作図である。
【図９】本考案の第二実施例である。
【図１０】本考案の第三実施例である。
【符号の説明】
【０００８】
ａ  ペット専用テント
ｂ  ゴルフ練習用テント
１  骨組み上部本体
２  骨組み下部本体
３  上部支柱
４  下部支柱
５  副支柱
６  調節装置
６１  繋止部
７  関節部品
７１  上部筒体
７１１  凹部
７１２  通孔
７２  下部筒体
７３  軸部
７３１  当接面
７４  位置決め部品
７４１  貫通孔
７４２  軸穴
７５  捻力部品
７５１  受け孔
７６  位置決めピン
８  弾性紐体
９  遮蔽体
９１  出入り口
９２  ボール入れ口
【図１】
0003106994.tif 000003
【図２】
0003106994.tif 000004
【図３】
0003106994.tif 000005
【図４】
0003106994.tif 000006
【図５】
0003106994.tif 000007
【図６】
0003106994.tif 000008
【図７】
0003106994.tif 000009
【図８】
0003106994.tif 000010
【図９】
0003106994.tif 000011
【図１０】
0003106994.tif 000012